(57)【要約】【課題】ガイドパイプの破損を防止する。【解決手段】主止弁１０は、燃料供給路４に設けられるハウジング１３に対してコア部材１４を固定し、係るコア部材１４に対してコイル部材１５、上下のカバープレート１６，１７、及びコイルケース１８を固定することによって形成される。コア部材１４のコア基端部２１のガイドパイプ２３の下端部には、フランジ部２４が設けられる。上側のカバープレート１６及びコイル部材１５の互いに隣接する領域の間は、周方向の全周域に亘って接着剤３９によってシールされる。下側のカバープレート１７及びコイル部材１５の互いに隣接する領域の間は、周方向の全周域に亘って接着剤４２によってシールされる。下側のカバープレート１７及びフランジ部２４の互いに隣接する領域の間は、周方向の全周域に亘って接着剤４３によってシールされる。【選択図】図３
2020034101.tif 000002
【特許請求の範囲】
【請求項１】
流体流通路に設けられるポートを開閉可能な電磁弁であって、
所定方向に延びる内部空間を区画する筒状のコイル部材と、
前記内部空間と連通する開口を有し、前記コイル部材の前記所定方向の一側に配置される磁性体の一側プレートと、
前記コイル部材の前記所定方向の他側に配置される磁性体の他側プレートと、
前記コイル部材の前記内部空間のうち前記他側に配置される磁性体の第１コア部と、
前記所定方向に延びる筒状のガイドパイプと、前記ガイドパイプの前記一側の端部の外周面の全周域から径方向外側へ突出する鍔状のフランジ部と、前記ガイドパイプの内部に配置されて前記ガイドパイプに摺動自在に支持されるプランジャと、前記プランジャの前記一側に設けられる弁部とを有し、前記ガイドパイプのうち前記フランジ部よりも前記他側の領域が前記一側プレートの前記開口から前記第１コア部よりも前記一側の前記内部空間に挿入されて、前記フランジ部が前記一側プレートの前記一側に配置される第２コア部と、を備え、
前記コイル部材が発生する磁界によって前記第１コア部が励磁されると、前記プランジャが前記第１コア部側へ移動し、前記弁部が前記流体流通路の前記ポートを開放し、
前記他側プレート、前記コイル部材、前記一側プレート、前記第１コア部、前記ガイドパイプ、及び前記フランジ部のうち互いに隣接する領域を有する少なくとも一組の部材の前記隣接する領域の間は、前記コイル部材の前記内部空間の軸を中心とした全周域に亘ってシールされる
ことを特徴とする電磁弁。
【請求項２】
請求項１に記載の電磁弁であって、
前記少なくとも一組の部材は、前記一側プレート及び前記フランジ部である
ことを特徴とする電磁弁。
【請求項３】
請求項１または請求項２に記載の電磁弁であって、
前記少なくとも一組の部材の前記隣接する領域の間は、前記隣接する領域に塗布される接着剤によってシールされる
ことを特徴とする電磁弁。
【発明の詳細な説明】
【技術分野】
【０００１】
本開示は、流体流通路に設けられるポートを開閉可能な電磁弁に関する。
【背景技術】
【０００２】
特許文献１には、ガス容器と減圧弁との間に設けられる電磁開閉弁が記載されている。電磁開閉弁は、固定コアとプランジャとを収容した円筒スリーブが外方に突出してある。円筒スリーブは、ハウジングの開閉弁装着穴に固定用筒体で螺着固定してある。円筒スリーブの周囲には、電磁装置が外嵌してある。電磁装置には、係合部を構成する２つの係合爪が付設してある。一方、固定用筒体の外端部には、係止部を構成するフランジが径方向外側へ突設してある。このフランジには、周縁の２箇所に挿通溝が形成してある。この挿通溝に電磁装置の係合爪を通過させたのち、電磁装置を回転させることで、この係合爪がフランジに係止される。固定用筒体と電磁装置との間には、押圧リングが軸方向へ移動可能に円筒スリーブへ外嵌してあり、付勢バネで電磁装置側へ弾圧してある。この付勢バネの弾圧力で電磁装置は押圧リングを介して離脱する方向へ押圧されており、これにより係合爪がフランジに保持される。電磁装置は、ハウジングへ容易に着脱できるように構成してある。
【先行技術文献】
【特許文献】
【０００３】
【特許文献１】特開２００９−１７４６７４号公報
【発明の概要】
【発明が解決しようとする課題】
【０００４】
特許文献１に記載の電磁開閉弁（電磁弁）では、プランジャ等を収容した円筒スリーブ（ガイドパイプ）の周囲の電磁装置が、付勢バネによって固定用筒体のフランジから離間する方向へ押圧されているので、フランジと電磁装置との間に隙間が生じる可能性があり、電磁弁に水が掛かった場合に、フランジと電磁装置との間の隙間からガイドパイプ側へ水が入り込んでしまうおそれがある。特に寒冷地等を走行する天然ガス車両では、道路に散布された融雪剤を含む水が、ガスタンクからエンジンへのガス供給路に設けられる電磁弁（主止弁等）に掛かってしまい、融雪剤に含まれる塩素がガイドパイプの外面に堆積してガイドパイプが腐食してしまうおそれがある。ガイドパイプには内部側から大きな圧力が作用しているので、ガイドパイプが腐食してしまうと、ガイドパイプに応力腐食割れが発生してガイドパイプが破損しまうおそれがある。
【０００５】
そこで、本開示は、ガイドパイプの破損を防止することが可能な電磁弁の提供を目的とする。
【課題を解決するための手段】
【０００６】
上記課題を解決するため、本発明の第１の態様は、流体流通路に設けられるポートを開閉可能な電磁弁であって、筒状のコイル部材と一側プレートと他側プレートと第１コア部と第２コア部とを備える。コイル部材は、所定方向に延びる内部空間を区画する。一側プレートは、内部空間と連通する開口を有し、コイル部材の上記所定方向の一側に配置される磁性体である。他側プレートは、コイル部材の上記所定方向の他側に配置される磁性体である。第１コア部は、コイル部材の内部空間のうち上記他側に配置される磁性体である。第２コア部は、上記所定方向に延びる筒状のガイドパイプと、ガイドパイプの上記一側の端部の外周面の全周域から径方向外側へ突出する鍔状のフランジ部と、ガイドパイプの内部に配置されてガイドパイプに摺動自在に支持されるプランジャと、プランジャの上記一側に設けられる弁部とを有し、ガイドパイプのうちフランジ部よりも上記他側の領域が一側プレートの開口から第１コア部よりも上記一側の内部空間に挿入されて、フランジ部が一側プレートの上記一側に配置される。コイル部材が発生する磁界によって第１コア部が励磁されると、プランジャが第１コア部側へ移動し、弁部が流体流通路のポートを開放する。他側プレート、コイル部材、一側プレート、第１コア部、ガイドパイプ、及びフランジ部のうち互いに隣接する領域を有する少なくとも一組の部材の上記隣接する領域の間は、コイル部材の内部空間の軸を中心とした全周域に亘ってシールされる。
【０００７】
上記構成では、他側プレート、コイル部材、一側プレート、第１コア部、ガイドパイプ、及びフランジ部のうち互いに隣接する領域を有する少なくとも一組の部材の上記隣接する領域（以下、隣接領域という。）の間は、コイル部材の内部空間の軸を中心とした全周域に亘ってシールされる。このため、例えば、他側プレート及びコイル部材の隣接領域の間、またはコイル部材及び一側プレートの隣接領域の間、または一側プレート及びフランジ部の隣接領域の間がシールされる場合には、当該一組の部材の隣接領域の間から径方向内側への水の侵入を防止することができるので、水の侵入によるガイドパイプの腐食を防止することができ、ガイドパイプの破損（例えば、応力腐食割れ）を防止することができる。また、第１コア部及びコイル部材の隣接領域の間がシールされる場合には、係る隣接領域の間から一側（ガイドパイプ及びコイル部材の隣接領域の間）側への水の侵入を防止することができるので、水の侵入によるガイドパイプの腐食を防止することができ、ガイドパイプの破損を防止することができる。また、ガイドパイプ及び一側プレートの隣接領域の間、またはガイドパイプ及びコイル部材の隣接領域の間がシールされる場合には、当該シールされた部分への被水を防止することができるとともに、当該シールされた部分よりも一側または他側への水の侵入を防止することができるので、水の侵入によるガイドパイプの腐食を防止することができ、ガイドパイプの破損を防止することができる。
【０００８】
本発明の第２の態様は、上記第１の態様の電磁弁であって、上記少なくとも一組の部材は、一側プレート及びフランジ部である。
【０００９】
上記構成では、一側プレート及びフランジ部の隣接領域の間が全周域に亘ってシールされるので、一側プレートとフランジ部との間からガイドパイプの外周面側への水の侵入を防止することができる。このため、一側プレートとフランジ部との間からの水の侵入によるガイドパイプの腐食を防止することができ、ガイドパイプの破損を防止することができる。
【００１０】
本発明の第３の態様は、上記第１の態様または上記第２の態様の電磁弁であって、上記少なくとも一組の部材の上記隣接する領域の間は、上記隣接する領域に塗布される接着剤によってシールされる。
【００１１】
上記構成では、少なくとも一組の部材の隣接領域の間は、係る隣接領域に塗布される接着剤によってシールされるので、例えば、薄板状のシール部材等を設ける場合に比べ、部品点数を削減することができる。
【発明の効果】
【００１２】
本開示によれば、ガイドパイプの破損を防止することができる。
【図面の簡単な説明】
【００１３】
【図１】本発明の一実施形態に係る車両の外略説明図である。
【図２】図１の主止弁の分解図である。
【図３】図１の主止弁の概略断面図である。
【発明を実施するための形態】
【００１４】
以下、本発明の一実施形態を図面に基づいて説明する。なお、以下の説明において、上下方向は、図２及び図３の上下方向に対応する。
【００１５】
図１に示すように、本実施形態に係る主止弁（電磁弁）１０は、天然ガス（例えば、ＣＮＧ（Ｃｏｍｐｒｅｓｓｅｄ Ｎａｔｕｒａｌ Ｇａｓ：圧縮天然ガス））を燃料とする車両１に適用され、天然ガスを高圧の状態で貯蔵する燃料容器２からエンジン３への燃料供給路（流体流通路）４に設けられる。天然ガスは、燃料容器２から燃料供給路４を流通して主止弁１０を介してレギュレータ（減圧弁）５へ導かれ、レギュレータ５によって調圧（減圧）された後、エンジン３側へ供給される。主止弁１０は、エンジン３を始動する際には、燃料供給路４の後述する下流側ポート（ポート）６ｂを開放してその下流側（レギュレータ５側）への天然ガスの流通を許容し、エンジン３を停止した際には、燃料供給路４の下流側ポート６ｂを閉止してその下流側への天然ガスの流通を遮断する。
【００１６】
図２及び図３に示すように、主止弁１０は、メイン弁（弁部）１１とパイロット弁１２とを有する二重弁構造のパイロット式の弁であって、燃料供給路４に設けられるハウジング１３に対してコア部材１４を固定し、係るコア部材１４に対してコイル部材１５、上下のカバープレート（他側プレート、一側プレート）１６，１７、及びコイルケース１８を固定することによって形成される。
【００１７】
ハウジング１３は、内部にメイン弁室１９を区画する構造体であって、上流側（燃料容器２側）のガス流通管７ａと、下流側（レギュレータ５側）のガス流通管７ｂとが接続される。ハウジング１３には、メイン弁室１９を所定方向の他側（図２及び図３の上下方向の上側）へ向かって開放する開口２０が形成される。開口２０から下方へ延びるメイン弁室１９の内周面１３ａには、コア部材１４の後述するコア基端部２１の雄ネジと螺合可能な雌ネジ（図示省略）が形成される。メイン弁室１９の下側には、２つのポート６ａ，６ｂが開口している。２つのポート６ａ，６ｂのうち、一方のポート６ａは上流側ポート６ａであって、上流側のガス流通管７ａの内部の燃料供給路４へ連通し、他方のポート６ｂは下流側ポート６ｂであって、下流側のガス流通管７ｂ内部の燃料供給路４へ連通する。
【００１８】
コア部材１４は、上下方向に長尺の部材であって、下側（所定方向の一側）のコア基端部（第２コア部）２１と、コア基端部２１に固定される上側のコア先端部（第１コア部）２２とを有し、コア基端部２１の下端部がハウジング１３に固定される。
【００１９】
コア基端部２１は、上下方向に延びる円筒状のガイドパイプ２３と、ガイドパイプ２３の下端部に設けられるフランジ部２４と、ガイドパイプ２３内に配置されるプランジャ２５と、プランジャ２５の下側のメイン弁１１とを有する。ガイドパイプ２３とフランジ部２４とは、非磁性体（例えば、ステンレス）によって一体成形されている。ガイドパイプ２３は、上下方向に貫通する貫通孔２６を区画する内周面２３ｂを有する。フランジ部２４は、ガイドパイプ２３の下端部の外周面２３ａの周方向の全域から径方向外側へ鍔状に突出する板状に形成され、その外形は、略円形状である。ガイドパイプ２３の外周面２３ａのうちフランジ部２４よりも下方の領域には、ハウジング１３の内周面１３ａの雌ネジと螺合可能な雄ネジ（図示省略）が形成される。ガイドパイプ２３の下端部の雄ネジをハウジング１３の内周面１３ａの雌ネジに螺合させることによってコア部材１４のコア基端部２１は、ハウジング１３に固定される。コア基端部２１をハウジング１３に固定した状態では、コア基端部２１の下端面がメイン弁室１９の上方を区画し、フランジ部２４の下面２４ａがハウジング１３の上面１３ｂに面接触している。プランジャ２５は、ガイドパイプ２３の貫通孔２６内に配置されてガイドパイプ２３の内周面２３ｂに摺動自在に支持される磁性体であって、下端部にパイロット弁１２を一体的に有する。メイン弁１１は、上下方向に貫通するパイロット通路２８を有し、ガイドパイプ２３の貫通孔２６内のプランジャ２５の下側に配置されてガイドパイプ２３の内周面２３ｂに摺動自在に支持され、ガイドパイプ２３の貫通孔２６から下方へ突出する。メイン弁１１は、プランジャ２５に対してピン２７によって上下に遊びを設けた状態で連結される。プランジャ２５の下端部のパイロット弁１２は、プランジャ２５が上下方向に移動することによって、メイン弁１１のパイロット通路２８の上端のパイロットポート２９を開閉可能である。メイン弁１１の下端面は、メイン弁１１が上下方向に移動することによって、メイン弁室１９の下流側ポート６ｂを開閉可能である。
【００２０】
コア先端部２２は、コア基端部２１のガイドパイプ２３の上端から連続して上方へ延びる略円柱状の磁性体であって、ガイドパイプ２３の上端部に固定される。コア先端部２２の外径は、コア基端部２１のガイドパイプ２３の外径と略同じ大きさである。コア先端部２２の上端部には、ボルト部３０が設けられる。ボルト部３０は、コア部材１４の軸に沿ってコア先端部２２の上面２２ｂから上方へ突出する。コア先端部２２をガイドパイプ２３に固定した状態で、コア先端部２２は、プランジャ２５の上方に位置する。コア先端部２２とプランジャ２５との間には、スプリング３１が設けられ、スプリング３１は、プランジャ２５をコア先端部２２から下方へ常時付勢する。
【００２１】
コイル部材１５は、上下方向に延びる筒状の電磁コイルであって、コイルボビン３２にコイル本体３３を巻き付け、その外周を樹脂製の被覆部３４によって覆って形成される。コイル部材１５の内周面１５ａは、上下方向に延びる内部空間３５を区画する。内部空間３５には、コア部材１４のコア先端部２２及びコア基端部２１のガイドパイプ２３の一部の領域が挿通する。コイル部材１５の内径は、コイル部材１５の内部空間３５にコア部材１４を挿通した状態で、コイル部材１５の内周面１５ａがコア先端部２２の外周面２２ａ及びガイドパイプ２３の外周面２３ａと接触する大きさに形成される。コイル部材１５の上面３７は、コア先端部２２の上面２２ｂと略同一平面上に配置される。コイル部材１５の上面３７及び下面３８には、コイル本体３３への通電時に磁気回路となる上下のカバープレート１６，１７が固定される。本実施形態では、コイル部材１５は、その上面３７及び下面３８に上下のカバープレート１６，１７を固定して一体化した状態で、内部空間３５にコア部材１４を挿通し、コア部材１４に対して固定される。
【００２２】
上下のカバープレート１６，１７のうち、上側のカバープレート（他側プレート）１６は、円環状の磁性体のプレートであって、コア先端部２２のボルト部３０の挿通を許容する開口３６を有し、コイル部材１５の上面３７及びコア先端部２２の上面２２ｂに対し、接着剤３９（例えば、アクリル変成シリコーン樹脂の接着剤）によって固定される。接着剤３９は、コア先端部２２の上面２２ｂ及びコイル部材１５の上面３７、または上側のカバープレート１６の下面１６ａの少なくとも一方に対し、コイル部材１５の内部空間３５の軸４０（図３に一点鎖線４０で示す。）を中心とした周方向（以下、単に周方向という。）の全周域に亘って塗布される。すなわち、上側のカバープレート１６及びコイル部材１５の互いに隣接する領域（以下、隣接領域という。）の間は、周方向の全周域に亘って接着剤３９によってシールされ、また、上側のカバープレート１６及びコア先端部２２の隣接領域の間は、周方向の全周域に亘って接着剤３９によってシールされる。上側のカバープレート１６をコイル部材１５及びコア先端部２２に対して固定した状態で、上側のカバープレート１６の開口３６は、コイル部材１５の内部空間３５に連通する。なお、図３では、分かり易くするために接着剤３９を図示している。
【００２３】
上下のカバープレート１６，１７のうち、下側のカバープレート（一側プレート）１７は、円環状の磁性体のプレートであって、コア部材１４の挿通を許容する開口４１を有し、コイル部材１５の下面３８に対し、接着剤４２（例えば、アクリル変成シリコーン樹脂の接着剤）によって固定される。接着剤４２は、下側のカバープレート１７の上面１７ａ及びコイル部材１５の下面３８の少なくとも一方に対し、周方向の全周域に亘って塗布される。すなわち、下側のカバープレート１７及びコイル部材１５の隣接領域の間は、周方向の全周域に亘って接着剤４２によってシールされる。下側のカバープレート１７をコイル部材１５に対して固定した状態で、下側のカバープレート１７の開口４１は、コイル部材１５の内部空間３５に連通する。なお、図３では、分かり易くするために接着剤４２を図示している。
【００２４】
コイル部材１５は、コイル部材１５の上面３７及び下面３８に上下のカバープレート１６，１７を固定した状態で、コア部材１４に対して固定される。コイル部材１５をコア部材１４に対して固定する際には、コイル部材１５の内部空間３５に対し、コア部材１４のうちフランジ部２４よりも上側の領域を下側のカバープレート１７の開口４１から挿入し、下側のカバープレート１７の下面１７ｂとコア部材１４のフランジ部２４の上面２４ｂとを接着剤４３（例えば、アクリル変成シリコーン樹脂の接着剤）によって固定する。接着剤４３は、下側のカバープレート１７の下面１７ｂ及びコア部材１４のフランジ部２４の上面２４ｂの少なくとも一方に対し、周方向の全周域に亘って塗布される。すなわち、下側のカバープレート１７及びフランジ部２４の隣接領域の間は、周方向の全周域に亘って接着剤４３によってシールされる。コイル部材１５及び上下のカバープレート１６，１７をコア部材１４に対して固定した状態で、コイル部材１５の内周面１５ａは、コア先端部２２の外周面２２ａ及びガイドパイプ２３の外周面２３ａに近接または接触する。なお、図３では、分かり易くするために接着剤４３を図示している。
【００２５】
コイルケース１８は、磁性体によって形成されるケースであって、上側のカバープレート１６を上方から覆う円板状の上板部４４と、コイル部材１５及び下側のカバープレート１７を径方向外側から覆う側板部４５とを一体的に有し、コイル本体３３への通電時に磁気回路となる。上板部４４には、コア先端部２２のボルト部３０の挿通を許容する開口４６が形成される。側板部４５は、上板部４４の外周縁部から下方へ延びる略筒状に形成される。コイルケース１８は、コア部材１４に対して固定されたコイル部材１５及び上下のカバープレート１６，１７に対し、上方から被せてコア先端部２２のボルト部３０を上板部４４の開口４６に挿通させて、ボルト部３０にナット４７を螺合することによって固定される。
【００２６】
上記のように構成された主止弁１０では、上側のカバープレート１６及びコイル部材１５の隣接領域の間が、周方向の全周域に亘って接着剤３９によってシールされるので、上側のカバープレート１６の下面１６ａとコイル部材１５の上面３７との間から径方向内側への水の侵入を防止することができる。また、上側のカバープレート１６及びコア先端部２２の隣接領域の間が、周方向の全周域に亘って接着剤３９によってシールされるので、上側のカバープレート１６の下面１６ａとコア先端部２２の上面２２ｂとの間から径方向内側への水の侵入を防止することができる。このため、コア先端部２２の外周面２２ａとコイル部材１５の内周面１５ａとの間、及びコア基端部２１のガイドパイプ２３の外周面２３ａとコイル部材１５の内周面１５ａとの間への上方からの水の侵入を防止することができるので、ガイドパイプ２３の被水を防止して水の侵入によるガイドパイプ２３の腐食を防止することができ、ガイドパイプ２３の応力腐食割れ（破損）を防止することができる。
【００２７】
また、下側のカバープレート１７及びコイル部材１５の隣接領域の間が、周方向の全周域に亘って接着剤４２によってシールされるので、下側のカバープレート１７の上面１７ａとコイル部材１５の下面３８との間から径方向内側への水の侵入を防止することができる。このため、下側のカバープレート１７とコイル部材１５との間からコア基端部２１のガイドパイプ２３の外周面２３ａとコイル部材１５の内周面１５ａとの間への水の侵入を防止することができるので、ガイドパイプ２３の被水を防止して水の侵入によるガイドパイプ２３の腐食を防止することができ、ガイドパイプ２３の応力腐食割れ（破損）を防止することができる。
【００２８】
また、下側のカバープレート１７及びフランジ部２４の隣接領域の間が、周方向の全周域に亘って接着剤４３によってシールされるので、下側のカバープレート１７の下面１７ｂとフランジ部２４の上面２４ｂとの間から径方向内側への水の侵入を防止することができる。このため、下側のカバープレート１７とフランジ部２４との間からコア基端部２１のガイドパイプ２３の外周面２３ａとコイル部材１５の内周面１５ａとの間への水の侵入を防止することができるので、ガイドパイプ２３の被水を防止して水の侵入によるガイドパイプ２３の腐食を防止することができ、ガイドパイプ２３の応力腐食割れ（破損）を防止することができる。
【００２９】
また、上記各部材（上側のカバープレート１６、コイル部材１５、下側のカバープレート１７、コア先端部２２、及びフランジ部２４）の隣接領域の間を接着剤３９，４２，４３によってシールするので、例えば、上記各部材の隣接領域の間に薄板状のシール部材等を設ける場合に比べ、部品点数を削減することができる。
【００３０】
なお、本実施形態では、上側のカバープレート１６、コイル部材１５、下側のカバープレート１７、コア先端部２２、及びフランジ部２４の隣接領域の間をシールしたが、シールをする位置はこれに限定されるものではなく、上側のカバープレート１６、コイル部材１５、下側のカバープレート１７、コア先端部２２、ガイドパイプ２３、及びフランジ部２４のうち隣接領域を有する少なくとも一組の部材の隣接領域の間をシールしていればよい。例えば、上側のカバープレート１６、コイル部材１５、下側のカバープレート１７、コア先端部２２、ガイドパイプ２３、及びフランジ部２４のうち、下側のカバープレート１７及びフランジ部２４の隣接領域の間のみをシールしてもよい。この場合、コイルケース１８に覆われる部分はガイドパイプ２３側への水の侵入をコイルケース１８によって防止することができるので、コイルケース１８によって覆われない下側のカバープレート１７及びフランジ部２４の隣接領域の間を少なくともシールすることによって、コイルケース１８とともにガイドパイプ２３側への水の侵入を防止することができ、ガイドパイプ２３の腐食を防止してガイドパイプ２３の応力腐食割れ（破損）を防止することができる。
【００３１】
また、ガイドパイプ２３及び下側のカバープレート１７の隣接領域の間、またはガイドパイプ２３及びコイル部材１５の隣接領域の間をシールする場合には、当該シールされた部分への被水を防止することができるとともに、シールされた部分よりも上方または下方への水の侵入を防止することができるので、水の侵入によるガイドパイプ２３の腐食を防止することができ、ガイドパイプ２３の応力腐食割れ（破損）を防止することができる。
【００３２】
また、本実施形態では、コア先端部２２にボルト部３０を設け、上側のカバープレート１６にコア先端部２２のボルト部３０の挿通を許容する開口３６を設けたが、ボルト部３０及び開口３６を設けなくてもよい。
【００３３】
また、本実施形態では、コイル部材１５の上面３７及び下面３８に上下のカバープレート１６，１７を固定した状態で、コイル部材１５をコア部材１４に対して固定したが、これに限定されるものではなく、例えば、先ずコア部材１４に対して下側のカバープレート１７を固定し、次に下側のカバープレート１７に対してコイル部材１５を固定し、次にコイル部材１５に対して上側のカバープレート１６を固定してもよい。
【００３４】
また、本実施形態では、コイル部材１５とコイルケース１８の上板部４４との間に上側のカバープレート（他側プレート）１６を設けたが、上側のカバープレート１６を設けることなく、コイルケース１８の上板部４４をコイル部材１５の上側（他側）の他側プレートとしてもよい。この場合、コイルケース１８の上板部４４とコイル部材１５との隣接領域の間を周方向の全周域に亘って接着剤によってシールしてもよい。
【００３５】
また、本実施形態では、コア先端部２２を予めコア基端部２１に固定してコア部材１４を形成したが、コア先端部２２を予めコア基端部２１に固定しなくてもよく、例えば、コア先端部２２をコイル部材１５の内部空間３５の上側に予め固定してもよい。
【００３６】
また、本実施形態では、上側のカバープレート１６、コイル部材１５、下側のカバープレート１７、コア先端部２２、及びフランジ部２４の隣接領域の間を接着剤３９，４２，４３によってシールしたが、接着剤３９，４２，４３を用いることなく、例えば、薄板状のシール部材等によって上記隣接領域の間をシールしてもよい。
【００３７】
以上、本発明について、上記実施形態に基づいて説明を行ったが、本発明は上記実施形態の内容に限定されるものではなく、当然に本発明を逸脱しない範囲で適宜変更が可能である。すなわち、この実施形態に基づいて当業者等によりなされる他の実施形態、実施例および運用技術等は全て本発明の範疇に含まれることは勿論である。
【００３８】
例えば、上記実施形態では、本開示に係る電磁弁を、二重弁構造のパイロット式の弁（主止弁１０）に適用したが、これに限定されるものはなく、プランジャの下端部が流体流通路のポート（燃料供給路４の下流側ポート６ｂ）を開閉する弁部として機能する直動式の弁に適用してもよい。
【００３９】
また、上記実施形態では、本開示に係る電磁弁を、天然ガスを燃料とする車両１の主止弁１０に適用したが、これに限定されるものではなく、流体流通路のポートを開閉する様々な電磁弁に適用することができる。例えば、液体が流通する流通路（流体流通路）のポートを開閉する電磁弁に適用してもよい。
【産業上の利用可能性】
【００４０】
本開示に係る電磁弁は、流体流通路のポートを開閉する電磁弁に広く適用することができる。
【符号の説明】
【００４１】
４：燃料供給路（流体流通路）
６ｂ：下流側ポート（ポート）
１０：主止弁（電磁弁）
１１：メイン弁（弁部）
１５：コイル部材
１６：上側のカバープレート（他側プレート）
１７：下側のカバープレート（一側プレート）
２１：コア基端部（第２コア部）
２２：コア先端部（第１コア部）
２３：ガイドパイプ
２４：フランジ部
２５：プランジャ
３５：内部空間
３９，４２，４３：接着剤
４１：下側のカバープレートの開口（一側プレートの開口）
【図１】
2020034101.tif 000003
【図２】
2020034101.tif 000004
【図３】
2020034101.tif 000005